(57)【要約】
【課題】　安価でケーブルの接続作業を容易に行うこと。
【解決手段】　サブ基板４の下面４ａに小間隙をおいて並設した多数の電極１２の近傍に
該電極１２と平行するスリット１５が該サブ基板４に貫設され、被覆カバー５と電線６と
からなるケーブルＦＦＣの一端部に略直角に折れ曲がる折れ目１６が形成され、該折れ目
１６から被覆カバー５の端縁５ａまでの間隔ｈがサブ基板４の電極１２からスリット１５
までの間隔Ｈと同一または若干小さく設定され、スリット１５の横幅ＤがケーブルＦＦＣ
の幅ｄと同一または若干大きく設定されており、スリット１５にケーブルＦＦＣの一端部
を挿通し、該スリット１５の側縁角部１５ａに折れ目１６を当てつけて各電線６の端部６
ａを電極１２に当接させ、その互いに当接する各電線６の端部６ａと電極１２とを半田付
けする。
【選択図】　　　　図１
0003100328.tif 000002
【実用新案登録請求の範囲】
【請求項１】
筐体内のディスクプレーヤ本体の側方にメイン基板が配置されると共
に、該メイン基板の下方にサブ基板が配置され、該サブ基板の下面に多数の電極が小間隙
をおいて並設されており、合成樹脂製被覆カバーと該被覆カバー内に平行に配列されて両
端部を該被覆カバーの端縁から外方に突出させた多数の電線とからなるフレキシブルフラ
ット形ケーブルの一端部をコネクタまたは両面粘着テープを介してサブ基板に接続すると
共に、該ケーブルの他端部をコネクタを介してメイン基板に接続するようにしたディスク
プレーヤにおいて、前記サブ基板側のコネクタ及び両面粘着テープを省略し、サブ基板の
電極近傍に該電極と平行するスリットが該サブ基板に貫設され、前記ケーブルの一端部に
略直角に折れ曲がる折れ目が形成され、該折れ目から被覆カバーの端縁までの間隔がサブ
基板の電極からスリットまでの間隔と同一または若干小さく設定され、前記スリットの横
幅が前記ケーブルの幅と同一または若干大きく設定されており、スリットにケーブルの一
端部を挿通し、該スリットの側縁角部に前記折れ目を当てつけた状態でサブ基板をケーブ
ルを介して定盤上に載置することにより各電線の端部を電極に当接させ、その互いに当接
する各電線の端部と電極とを半田付けし、そのケーブル付きサブ基板を筐体内の下部に配
置し、該ケーブルの他端部をメイン基板のコネクタに接続するようにしたことを特徴とす
るディスクプレーヤ。
【請求項２】
筐体内のディスクプレーヤ本体の側方にメイン基板が配置されると共
に、該メイン基板の下方にサブ基板が配置され、該サブ基板の下面に多数の電極が小間隙
をおいて並設されており、合成樹脂製被覆カバーと該被覆カバー内に平行に配列されて両
端部を該被覆カバーの端縁から外方に突出させた多数の電線とからなるフレキシブルフラ
ット形ケーブルの一端部をコネクタまたは両面粘着テープを介してサブ基板に接続すると
共に、該ケーブルの他端部をコネクタを介してメイン基板に接続するようにしたディスク
プレーヤにおいて、前記サブ基板側のコネクタ及び両面粘着テープを省略し、サブ基板の
電極近傍に該電極と平行するスリットが該サブ基板に貫設され、前記ケーブルの一端部に
略直角に折れ曲がる第１、第２の折れ目が互いに逆向きに形成され、その第１折れ目から
被覆カバーの端縁までの間隔がサブ基板の電極からスリットまでの間隔と同一または若干
小さく設定されると共に、第１折れ目と第２折れ目との間の間隔がスリットの対角線上対
向する両側縁角部間の間隔とほぼ同一に設定され、前記スリットの横幅が前記ケーブルの
幅と同一または若干大きく設定されており、スリットにケーブルの一端部を挿通し、該ス
リットの対角線上対向する両側縁角部のうち、その一方側縁角部に第１折れ目を当てつけ
ると共に、その他方側縁角部に第２折れ目を当てつけることにより、各電線の端部を電極
に当接させ、その当接状態でサブ基板をケーブルを介して定盤上に載置して互いに当接す
る各電線の端部と電極とを半田付けし、そのケーブル付きサブ基板を筐体内の下部に配置
し、該ケーブルの他端部をメイン基板のコネクタに接続するようにしたことを特徴とする
ディスクプレーヤ。
【請求項３】
合成樹脂製被覆カバーと該被覆カバー内に平行に配列されて両端部を
該被覆カバーの端縁から外方に突出させた多数の電線とからなるフレキシブルフラット形
ケーブルを基板に接続するためのケーブル接続構造であって、前記基板の下面に小間隙を
おいて並設した多数の電極の近傍に該電極と平行するスリットが該基板に貫設され、前記
ケーブルの一端部に略直角に折れ曲がる折れ目が形成され、該折れ目から被覆カバーの端
縁までの間隔が基板の電極からスリットまでの間隔と同一または若干小さく設定され、前
記スリットの横幅がケーブルの幅と同一または若干大きく設定されており、スリットにケ
ーブルの一端部を挿通し、該スリットの側縁角部に前記折れ目を当てつけた状態で基板を
ケーブルを介して定盤上に載置することにより各電線の端部を電極に当接させ、その互い
に当接する各電線の端部と電極とを半田付けすることを特徴とするケーブル接続構造。
【請求項４】
前記折れ目がケーブルの一端部に第１、第２の２つ互いに逆向きに形
成され、その第１折れ目から被覆カバーの端縁までの間隔が基板の電極からスリットまで
の間隔と同一または若干小さく設定されると共に、第１折れ目と第２折れ目との間の間隔
がスリットの対角線上対向する両側縁角部間の間隔とほぼ同一に設定されており、スリッ
トにケーブルの一端部を挿通し、該スリットの対角線上対向する両側縁角部のうち、その
一方側縁角部に第１折れ目を当てつけると共に、その他方側縁角部に第２折れ目を当てつ
けることにより、各電線の端部を電極に当接させ、その当接状態でサブ基板をケーブルを
介して定盤上に載置して互いに当接する各電線の端部と電極とを半田付けすることを特徴
とする請求項３に記載のケーブル接続構造。
【請求項５】
前記ケーブル付き基板がディスクプレーヤの筐体内の下部に配置する
サブ基板とされており、該サブ基板から延びるケーブルの他端部を前記筐体内のディスク
プレーヤ本体の側方に配置したメイン基板にコネクタを介して接続したことを特徴とする
請求項３または４に記載のケーブル接続構造。
【考案の詳細な説明】
【技術分野】
【０００１】
　本考案は、例えばＤＶＤなどのディスクプレーヤとそれらに使用されるケーブル接続構
造に関し、特に安価でケーブルの接続作業を容易に行うことができるようにしたものであ
る。
【背景技術】
【０００２】
　従来、ディスクプレーヤの一例として図７に示すものがある。これは、筐体１内のディ
スクプレーヤ本体２の側方にメイン基板３が配置されると共に、該メイン基板３の下方に
サブ基板４が配置され、合成樹脂製被覆カバー５と該被覆カバー５内に平行に配列されて
両端部６ａを該被覆カバー５の端縁５ａから外方に突出させた多数の電線６とからなるフ
レキシブルフラット形ケーブルＦＦＣにより両基板３，４を接続したものであって、アン
ローディング信号に基づいてディスクプレーヤ本体２のトレイ２ａを前進ａさせ、該トレ
イ２ａ上にＤＶＤなどのディスクを載置した後、ローディング信号に基づいてトレイ２ａ
を後進ｂさせ、ディスクに対して記録や再生または消去を行う。
【０００３】
　前記ケーブルＦＦＣの接続構造については特許文献１などに記載した技術があり、その
一例として、図７（ｂ）及び（ｃ）に示すように、各基板３，４にコネクタ７，８を設け
、その各コネクタ７，８にケーブルＦＦＣの両端部を接続することが考えられている。
【０００４】
　上記構成では、サブ基板４にケーブルＦＦＣの一端部を接続するために比較的高価なコ
ネクタ７を用いており、コストアップの一因になっている。
【０００５】
　そこで、前記コネクタ７を省略し、図８（ａ）に示すように、ケーブルＦＦＣの一端部
に離型紙９付き両面粘着テープ１０を貼着することが考えられる。なお、１１は各電線６
の端部６ａに着脱可能に外嵌させた合成樹脂製保護カバーである。
【０００６】
　ケーブルＦＦＣの接続手順を説明すると、図８（ａ）に示すように、保護カバー１１を
取り外すと共に、両面粘着テープ１０から離型紙９を剥離し、図８（ｂ）に示すように、
サブ基板４の下面４ａを上向きにして、該下面４ａに小間隙をおいて並設した多数の電極
１２に各電線６の端部６ａを位置決めした状態で両面粘着テープ１０によりケーブルＦＦ
Ｃの一端部をサブ基板４に貼着し、互いに当接する各電線６の端部６ａと電極１２とを半
田付けする。その後、図８（ｃ）に示すように、ケーブルＦＦＣの他端部をサブ基板４に
貫設した貫通孔１３に嵌挿し、そのケーブルＦＦＣ付きサブ基板４を筐体１内の下部に配
置し、該ケーブルＦＦＣの他端部をメイン基板３のコネクタ８に接続する。
【特許文献１】実開平１−１４５１８１号公報
【考案の開示】
【考案が解決しようとする課題】
【０００７】
　上記従来の構成では、サブ基板４にケーブルＦＦＣの一端部を仮止めするために離型紙
９付き両面粘着テープ１０を用いており、その離型紙９付き両面粘着テープ１０を用いて
いる分だけやはり高くつく。また、サブ基板４の電極１２に各電線６の端部６ａを位置決
めした状態で両面粘着テープ１０によりケーブルＦＦＣの一端部をサブ基板４に貼着する
のに比較的手間がかかって面倒である。
【０００８】
　本考案は、上記従来の欠点に鑑み、安価でケーブルの接続作業を容易に行うことができ
るようにしたディスクプレーヤとケーブル接続構造を提供すること目的としている。
【課題を解決するための手段】
【０００９】
　上記目的を達成するため、請求項１に記載の考案は、筐体内のディスクプレーヤ本体の
側方にメイン基板が配置されると共に、該メイン基板の下方にサブ基板が配置され、該サ
ブ基板の下面に多数の電極が小間隙をおいて並設されており、合成樹脂製被覆カバーと該
被覆カバー内に平行に配列されて両端部を該被覆カバーの端縁から外方に突出させた多数
の電線とからなるフレキシブルフラット形ケーブルの一端部をコネクタまたは両面粘着テ
ープを介してサブ基板に接続すると共に、該ケーブルの他端部をコネクタを介してメイン
基板に接続するようにしたディスクプレーヤにおいて、前記サブ基板側のコネクタ及び両
面粘着テープを省略し、サブ基板の電極近傍に該電極と平行するスリットが該サブ基板に
貫設され、前記ケーブルの一端部に略直角に折れ曲がる折れ目が形成され、該折れ目から
被覆カバーの端縁までの間隔がサブ基板の電極からスリットまでの間隔と同一または若干
小さく設定され、前記スリットの横幅が前記ケーブルの幅と同一または若干大きく設定さ
れており、スリットにケーブルの一端部を挿通し、該スリットの側縁角部に前記折れ目を
当てつけた状態でサブ基板をケーブルを介して定盤上に載置することにより各電線の端部
を電極に当接させ、その互いに当接する各電線の端部と電極とを半田付けし、そのケーブ
ル付きサブ基板を筐体内の下部に配置し、該ケーブルの他端部をメイン基板のコネクタに
接続するようにしたことを特徴としている。
【００１０】
　請求項２に記載の考案は、筐体内のディスクプレーヤ本体の側方にメイン基板が配置さ
れると共に、該メイン基板の下方にサブ基板が配置され、該サブ基板の下面に多数の電極
が小間隙をおいて並設されており、合成樹脂製被覆カバーと該被覆カバー内に平行に配列
されて両端部を該被覆カバーの端縁から外方に突出させた多数の電線とからなるフレキシ
ブルフラット形ケーブルの一端部をコネクタまたは両面粘着テープを介してサブ基板に接
続すると共に、該ケーブルの他端部をコネクタを介してメイン基板に接続するようにした
ディスクプレーヤにおいて、前記サブ基板側のコネクタ及び両面粘着テープを省略し、サ
ブ基板の電極近傍に該電極と平行するスリットが該サブ基板に貫設され、前記ケーブルの
一端部に略直角に折れ曲がる第１、第２の折れ目が互いに逆向きに形成され、その第１折
れ目から被覆カバーの端縁までの間隔がサブ基板の電極からスリットまでの間隔と同一ま
たは若干小さく設定されると共に、第１折れ目と第２折れ目との間の間隔がスリットの対
角線上対向する両側縁角部間の間隔とほぼ同一に設定され、前記スリットの横幅が前記ケ
ーブルの幅と同一または若干大きく設定されており、スリットにケーブルの一端部を挿通
し、該スリットの対角線上対向する両側縁角部のうち、その一方側縁角部に第１折れ目を
当てつけると共に、その他方側縁角部に第２折れ目を当てつけることにより、各電線の端
部を電極に当接させ、その当接状態でサブ基板をケーブルを介して定盤上に載置して互い
に当接する各電線の端部と電極とを半田付けし、そのケーブル付きサブ基板を筐体内の下
部に配置し、該ケーブルの他端部をメイン基板のコネクタに接続するようにしたことを特
徴としている。
【００１１】
　請求項３に記載の考案は、合成樹脂製被覆カバーと該被覆カバー内に平行に配列されて
両端部を該被覆カバーの端縁から外方に突出させた多数の電線とからなるフレキシブルフ
ラット形ケーブルを基板に接続するためのケーブル接続構造であって、前記基板の下面に
小間隙をおいて並設した多数の電極の近傍に該電極と平行するスリットが該基板に貫設さ
れ、前記ケーブルの一端部に略直角に折れ曲がる折れ目が形成され、該折れ目から被覆カ
バーの端縁までの間隔が基板の電極からスリットまでの間隔と同一または若干小さく設定
され、前記スリットの横幅がケーブルの幅と同一または若干大きく設定されており、スリ
ットにケーブルの一端部を挿通し、該スリットの側縁角部に前記折れ目を当てつけた状態
で基板をケーブルを介して定盤上に載置することにより各電線の端部を電極に当接させ、
その互いに当接する各電線の端部と電極とを半田付けすることを特徴としている。
【００１２】
　請求項４に記載に考案は、請求項３に記載の考案において、前記折れ目がケーブルの一
端部に第１、第２の２つ互いに逆向きに形成され、その第１折れ目から被覆カバーの端縁
までの間隔が基板の電極からスリットまでの間隔と同一または若干小さく設定されると共
に、第１折れ目と第２折れ目との間の間隔がスリットの対角線上対向する両側縁角部間の
間隔とほぼ同一に設定されており、スリットにケーブルの一端部を挿通し、該スリットの
対角線上対向する両側縁角部のうち、その一方側縁角部に第１折れ目を当てつけると共に
、その他方側縁角部に第２折れ目を当てつけることにより、各電線の端部を電極に当接さ
せ、その当接状態でサブ基板をケーブルを介して定盤上に載置して互いに当接する各電線
の端部と電極とを半田付けすることを特徴としている。
【００１３】
　請求項５に記載の考案は、請求項３または４に記載の考案において、前記ケーブル付き
基板がディスクプレーヤの筐体内の下部に配置するサブ基板とされており、該サブ基板か
ら延びるケーブルの他端部を前記筐体内のディスクプレーヤ本体の側方に配置したメイン
基板にコネクタを介して接続したことを特徴としている。
【考案の効果】
【００１４】
　請求項１に記載の考案は、第１の実施の形態（図１から図５参照）に対応するものであ
って、これによれば、ケーブルの一端部をサブ基板のスリットに挿通し、該ケーブルの折
れ目をスリットの側縁角部に当てつけるだけで、そのケーブルを形成する各電線の端部を
サブ基板の電極に簡単に位置決めすることができ、その位置決めのために従来のコネクタ
や両面粘着テープに相当するものが不要であるから、その不要となった分だけコストダウ
ンを図ることができる。
【００１５】
　ここで重要なことは、上述の位置決め状態でサブ基板をケーブルを介して定盤上に載置
することにより、ケーブルのスリット内の部分が対角線状に斜めに引っ張られて、前記折
れ目の折り曲げ角度が強制的に押し広げられるということである。これにより、その押し
広げにより生じた押付力で各電線の端部がサブ基板の電極に密着されるので、その互いに
密着する各電線の端部と電極とを確実に半田付けすることができる。
【００１６】
　また、ケーブル付きサブ基板をディスクプレーヤの筐体内の下部に配置すると共に、該
サブ基板から延びるケーブルの他端部をメイン基板にコネクタを介して接続することによ
り、ケーブルの接続を安価且つ簡単確実に行うことができるようにしたディスクプレーヤ
を提供することができる。
【００１７】
　請求項２に記載の考案は、第１の実施の形態（図６参照）に対応するものであって、こ
れによれば、ケーブルの第１折れ目をスリットの対角線上対向する一方側縁角部に当てつ
けると共に、該ケーブルの第２折れ目を他方側縁角部に当てつけるだけで、そのケーブル
を形成する各電線の端部をサブ基板の電極に簡単に位置決めすることができ、その位置決
めのために従来のコネクタや両面粘着テープに相当するものが不要であるから、その不要
となった分だけコストダウンを図ることができる。
【００１８】
　ここで重要なことは、上述の位置決め状態でケーブルの第１折れ目と第２の折れとの間
の部分がスリット内で対角線状に斜めに引っ張られて、その各折れ目の折り曲げ角度が強
制的に押し広げられるということである。これにより、その押し広げにより生じた押付力
で各電線の端部がサブ基板の電極に密着されるから、その互いに密着する各電線の端部と
電極とを確実に半田付けすることができる。
【００１９】
　また、ケーブル付きサブ基板をディスクプレーヤの筐体内の下部に配置すると共に、該
サブ基板から延びるケーブルの他端部をメイン基板にコネクタを介して接続することによ
り、ケーブルの接続を安価且つ簡単確実に行うことができるようにしたディスクプレーヤ
を提供することができる。
【００２０】
　請求項３に記載の考案によれば、ケーブルの一端部を基板のスリットに挿通し、該ケー
ブルの折れ目をスリットの側縁角部に当てつけるだけで、そのケーブルを形成する各電線
の端部を基板の電極に簡単に位置決めすることができ、その位置決めのために従来のコネ
クタや両面粘着テープに相当するものが不要であるから、その不要となった分だけコスト
ダウンを図ることができる。
【００２１】
　ここで重要なことは、上述の位置決め状態で基板をケーブルを介して定盤上に載置する
ことにより、ケーブルのスリット内の部分が対角線状に斜めに引っ張られて、前記折れ目
の折り曲げ角度が強制的に押し広げられるということである。これにより、その押し広げ
により生じた押付力で各電線の端部が基板の電極に密着されるので、その互いに密着する
各電線の端部と電極とを確実に半田付けすることができる。
【００２２】
　請求項４に記載に考案によれば、ケーブルの第１折れ目をスリットの対角線上対向する
一方側縁角部に当てつけると共に、該ケーブルの第２折れ目を他方側縁角部に当てつける
だけで、そのケーブルを形成する各電線の端部を基板の電極に簡単に位置決めすることが
でき、その位置決めのために従来のコネクタや両面粘着テープに相当するものが不要であ
るから、その不要となった分だけコストダウンを図ることができる。
【００２３】
　ここで重要なことは、上述の位置決め状態でケーブルの第１折れ目と第２折れ目との間
の部分がスリット内で対角線状に斜めに引っ張られて、その各折れ目の折り曲げ角度が強
制的に押し広げられるということである。これにより、その押し広げにより生じた押付力
で各電線の端部が基板の電極に密着されるから、その互いに密着する各電線の端部と電極
とを確実に半田付けすることができる。
【００２４】
　請求項５に記載の考案によれば、ケーブル付きサブ基板をディスクプレーヤの筐体内の
下部に配置すると共に、該サブ基板から延びるケーブルの他端部をメイン基板にコネクタ
を介して接続することにより、ケーブルの接続を安価且つ簡単確実に行うことができるよ
うにしたディスクプレーヤを提供することができる。
【考案を実施するための最良の形態】
【００２５】
　図１及び図２は本考案の第１の実施の形態であるディスクプレーヤを示すものであって
、サブ基板（基板）４の下面４ａに小間隙をおいて並設した多数の電極１２の近傍に該電
極１２と平行するスリット１５が該サブ基板４に貫設され、ケーブルＦＦＣの一端部に折
り曲げ角度αを略直角にした折れ目１６が形成され、その折れ目１６から被覆カバー５の
端縁５ａまでの間隔ｈがサブ基板４の電極１２からスリット１５までの間隔Ｈ（例えば７
ｍｍ）と同一または若干小さく設定され、スリット１５の横幅ＤがケーブルＦＦＣの幅ｄ
（例えば１７ｍｍ）と同一または若干大きく設定され、スリット１５の縦幅Ｔがサブ基板
４の厚さｔ（例えば１．６ｍｍ）とほぼ同一に設定されている。上記以外の構成は図７及
び図８に示す構成とほぼ同じであるから、同一部分に同一符号を付してその説明を省略す
る。
【００２６】
　折れ目１６の形成手順を説明すると、図３（ａ）及び（ｂ）に示すように、ケーブルＦ
ＦＣの保護カバー１１付き一端部を型台１８の上面凹段部１８ａに当てがった後、図４（
ａ）及び（ｂ）に示すように、Ｌ字型枠１９をケーブルＦＦＣの一端部を介して型台１８
の角部１８ｂに押し付けることにより、ケーブルＦＦＣの一端部に略直角の折れ目１６を
形成すればよい。
【００２７】
　ケーブルＦＦＣの接続手順を説明すると、図５（ａ）に示すように、サブ基板４のスリ
ット１５にケーブルＦＦＣの一端部を挿通し、同図（ｂ）に示すように、スリット１５の
側縁角部１５ａに折れ目１６を当てつけ、同図（ｃ）に示すように、その当てつけた状態
でサブ基板４をケーブルＦＦＣを介して定盤２０上に載置することにより各電線６の端部
６ａを電極１２に当接させ、その互いに当接する各電線６の端部６ａと電極１２とを半田
付けする。その後、図１（ａ）及び（ｂ）に示すように、そのケーブルＦＦＣ付きサブ基
板４を筐体１内の下部に配置し、ケーブルＦＦＣの他端部を筐体１内のディスクプレーヤ
本体２の側方に配置したメイン基板３にコネクタ８を介して接続すればよい。
【００２８】
　上記構成によれば、ケーブルＦＦＣの一端部をサブ基板４のスリット１５に挿通し、該
ケーブルＦＦＣの折れ目１６をスリット１５の側縁角部１５ａに当てつけるだけで、その
ケーブルＦＦＣを形成する各電線６の端部６ａをサブ基板４の電極１２に簡単に位置決め
することができ、その位置決めのために従来のコネクタ７（図７参照）や両面粘着テープ
１０（図８参照）に相当するものが不要であるから、その不要となった分だけコストダウ
ンを図ることができる。
【００２９】
　ここで重要なことは、上述の位置決め状態でサブ基板４をケーブルＦＦＣを介して定盤
２０上に載置することにより、ケーブルＦＦＣのスリット１５内の部分が対角線状に斜め
に引っ張られて〔図５（ｃ）参照〕、折れ目１６の折り曲げ角度αが強制的に押し広げら
れるということである。これにより、その押し広げにより生じた押付力Ｆで各電線６の端
部６ａがサブ基板４の電極１２に密着されるので、その互いに密着する各電線６の端部６
ａと電極１２とを確実に半田付けすることができる。
【００３０】
　また、図１に示すように、ケーブルＦＦＣ付きサブ基板４を筐体１内の下部に配置する
と共に、該サブ基板４から延びるケーブルＦＦＣの他端部をメイン基板３にコネクタ８を
介して接続することにより、ケーブルＦＦＣの接続を安価且つ簡単確実に行うことができ
るようにしたディスクプレーヤを提供することができる。
【００３１】
　図６は本考案の第２の実施の形態であるディスクプレーヤに用いられるケーブルＦＦＣ
の接続構造を示すものであって、ケーブルＦＦＣの一端部に略直角に折れ曲がる第１、第
２の折れ目１６ａ．１６ｂが互いに逆向きに形成され、その第１折れ目１６ａから被覆カ
バー５の端縁５ａまでの間隔ｈがサブ基板４の電極１２からスリット１５までの間隔Ｈと
同一または若干小さく設定されると共に、第１折れ目１６ａと第２折れ目１６ｂとの間の
間隔Ｅがスリット１５の対角線上対向する両側縁角部１５ａ，１５ｂ間の間隔ｅとほぼ同
一に設定されている。上記以外の構成は図１から図５に示す構成とほぼ同じであるから、
同一部分に同一符号を付してその説明を省略する。
【００３２】
　第１、第２の折れ目１６ａの形成手順を説明すると、図６（ａ）に示すように、第１の
実施の形態と同様に、ケーブルＦＦＣの保護カバー１１付き一端部を型台１８の上面凹段
部１８ａに当てがった後、Ｌ字型枠１９をケーブルＦＦＣの一端部を介して型台１８の角
部１８ｂに押し付けることにより、該ケーブルＦＦＣの一端部に第１折れ目１６ａを形成
した後、Ｉ字型枠２１をケーブルＦＦＣの一端部を介してＬ字型枠１９に押し付けること
により、ケーブルＦＦＣの一端部に第２折れ目１６ｂを形成すればよい。
【００３３】
　ケーブルＦＦＣの接続手順を説明すると、図６（ｂ）に示すように、サブ基板４のスリ
ット１５にケーブルＦＦＣの一端部を挿通し、同図（ｃ）に示すように、スリット１５の
対角線上対向する両側縁角部１５ａ，１５ｂのうち、その一方側縁角部１５ａに第１折れ
目１６ａを当てつけると共に、その他方側縁角部１５ｂに第２折れ目１６ｂを当てつける
ことにより、各電線６の端部６ａを電極１２に当接させ、同図（ｄ）に示すように、サブ
基板４をケーブルＦＦＣを介して定盤２０上に載置し、互いに当接する各電線６の端部６
ａと電極１２とを半田付けする。その後、図１（ａ）及び（ｂ）に示すように、ケーブル
ＦＦＣ付きサブ基板４を筐体１内の下部に配置し、ケーブルＦＦＣの他端部を筐体１内の
ディスクプレーヤ本体２の側方に配置したメイン基板３にコネクタ８を介して接続すれば
よい。
【００３４】
　上記構成によれば、ケーブルＦＦＣの第１折れ目１６ａをスリット１５の対角線上対向
する一方側縁角部１５ａに当てつけると共に、該ケーブルＦＦＣの第２折れ目１６ｂを他
方側縁角部１５ｂに当てつけるだけで、そのケーブルＦＦＣを形成する各電線６の端部６
ａをサブ基板４の電極１２に簡単に位置決めすることができ、その位置決めのために従来
のコネクタ７（図７参照）や両面粘着テープ１０（図８参照）に相当するものが不要であ
るから、その不要となった分だけコストダウンを図ることができる。
【００３５】
　ここで重要なことは、上述の位置決め状態でケーブルＦＦＣの第１折れ目１６ａと第２
の折れ目１６ｂとの間の部分がスリット１５内で対角線状に斜めに引っ張られて、その各
折れ目１６ａ，１６ｂの折り曲げ角度α１，α２が強制的に押し広げられるということで
ある。これにより、その押し広げにより生じた押付力Ｆで各電線６の端部６ａがサブ基板
４の電極１２に密着されるから、その互いに密着する各電線６の端部６ａと電極１２とを
確実に半田付けすることができる。
【００３６】
　また、ケーブルＦＦＣ付きサブ基板４をディスクプレーヤの筐体１内の下部に配置する
と共に、該サブ基板４から延びるケーブルＦＦＣの他端部をメイン基板３にコネクタ８を
介して接続することにより、ケーブルＦＦＣの接続を安価且つ簡単確実に行うことができ
るようにしたディスクプレーヤを提供することができる。
【産業上の利用可能性】
【００３７】
　本考案の第１、第２の実施の形態では、ディスクプレーヤに用いるケーブル接続構造を
例にあげて説明したが、これに限定されるわけではなく、例えばＤＶＤ一体型ビデオデッ
キなどの各種機器に用いるケーブル接続構造にも適用することができる。
【図面の簡単な説明】
【００３８】
【図１】（ａ）は本考案の第１の実施の形態であるディスクプレーヤを示す斜視図、（ｂ）は同要部の拡大縦断面図、（ｃ）は同要部の拡大平面図である。
【図２】（ａ）はサブ基板の下面側斜視図、（ｂ）はケーブルの一端部の斜視図、（ｃ）は同ケーブルの一端部の拡大側面図である。
【図３】（ａ）は折れ目の形成手順の前段を説明する斜視図、（ｂ）は同縦断面図である。
【図４】（ａ）は折れ目の形成手順の後段を説明する斜視図、（ｂ）は同縦断面図である。
【図５】（ａ）ケーブルの接続手順の前段を説明する拡大縦断面図、（ｂ）は同手順の中段を説明する拡大縦断面図、（ｃ）は同手順の後段を説明する拡大縦断面図である。
【図６】（ａ）本考案の第２の実施の形態であるディスクプレーヤに用いるケーブルに対する第１、第２の折れ目の形成手順を示す縦断面図、（ｂ）同ケーブルの接続手順の前段を説明する拡大縦断面図、（ｃ）は同手順の中段を説明する拡大縦断面図、（ｄ）は同手順の後段を説明する拡大縦断面図である。
【図７】（ａ）は従来の一例を示す斜視図、（ｂ）は同要部の拡大側面図、（ｃ）は同要部の拡大正面図である。
【図８】（ａ）は従来の他の例を示すケーブルの斜視図、（ｂ）は同ケーブルの接続状態を示す斜視図、（ｃ）は同接続状態の拡大縦断面図である。
【符号の説明】
【００３９】
　１　　　　　　　筐体
　２　　　　　　　ディスクプレーヤ本体
　３　　　　　　　メイン基板
　４　　　　　　　サブ基板（基板）
　５　　　　　　　被覆カバー
　５ａ　　　　　　被覆カバーの端縁
　６　　　　　　　電線
　６ａ　　　　　　電線の端部
　７，８　　　　　コネクタ
　１０　　　　　　両面粘着テープ
　１２　　　　　　電極
　１５　　　　　　スリット
　１５ａ，１５ｂ　スリットの側縁角部
　１６　　　　　　折れ目
　１６ａ　　　　　第１折れ目
　１６ｂ　　　　　第２折れ目
　２０　　　　　　定盤
　ＦＦＣ　　　　　フレキシブルフラット形ケーブル
　α，α１，α２　折り曲げ角度
　ｈ　　　　　　　折れ目から被覆カバーの端縁までの間隔
　Ｈ　　　　　　　サブ基板の電極からスリットまでの間隔
　ｄ　　　　　　　ケーブルの幅
　Ｄ　　　　　　　スリットの横幅
　ｅ　　　　　　　スリットの対角線上対向する両側縁角部間の間隔
　Ｅ　　　　　　　第１折れ目と第２折れ目との間の間隔
【図１】
0003100328.tif 000003
【図２】
0003100328.tif 000004
【図３】
0003100328.tif 000005
【図４】
0003100328.tif 000006
【図５】
0003100328.tif 000007
【図６】
0003100328.tif 000008
【図７】
0003100328.tif 000009
【図８】
0003100328.tif 000010